(57)【特許請求の範囲】
【請求項１】
複数の収納部のそれぞれにおいて、１部ずつ取り出された印刷物の画像を検査画像として撮像し、撮像した検査画像と予め設定された基準画像とを比較する乱丁検査装置であって、
複数の収納部の全てについての検査画像と基準画像との比較結果を一覧表示する比較結果表示部、特定の収納部についての比較内容を表す画像を表示する比較内容表示部、基準画像の変更指示の操作を受け付ける基準画像変更ボタン、及び、比較内容表示部に表示している画像を新たな基準画像とする指示の操作を受け付ける基準画像更新ボタンを単一の画面内に表示する表示手段と、
複数の収納部のそれぞれにおいて最初に取り出される印刷物のそれぞれの複数の位置から基準画像の候補となる複数の位置の画像を撮像し、撮像した複数の基準画像候補の画像を収納部毎に記憶し、複数の収納部のそれぞれについて複数の基準画像候補の画像の何れかを基準画像として設定し、複数の収納部の全てについての検査画像と基準画像とを比較するとともに、基準画像変更ボタンが操作された際に現在設定されている基準画像以外の基準画像候補の画像を比較内容表示部に表示し、基準画像更新ボタンが操作された際にその時点で比較内容表示部に表示している画像を新たな基準画像として設定する制御部と、を設けたことを特徴とする乱丁検査装置。
【請求項２】
前記表示手段は、複数の収納部の全てについての検査画像と基準画像との一致度合いを比較結果表示部に図形表示することを特徴とする請求項１に記載の乱丁検査装置。
【請求項３】
前記表示手段は、特定の収納部についての基準画像、検査画像及びエラー画像を比較内容表示部に択一的に表示することを特徴とする請求項１又は２に記載の乱丁検査装置。
【発明の詳細な説明】
【０００１】
【発明の属する技術分野】
この発明は、複数の収納部のそれぞれから順に１部ずつ印刷物を取り出す製本装置に用いられ、各印刷物から撮像した検査画像と予め設定された基準画像との比較結果に基づいて乱丁の発生を検出する乱丁検査装置に関する。
【０００２】
【従来の技術】
一般に、製本装置では、複数の収納部を１方向に配列し、各収納部から順に１部ずつ印刷物を取り出するようにしている。各収納部には、収納部の配列順にページが連続する印刷物が複数部ずつ積層して収納されている。したがって、複数の収納部の全てから１部ずつ取り出した印刷物を順次積み重ねることにより、１冊分の印刷物がページ順に重なり合う。このようにページ順に重なった状態で取り出された１冊分の印刷物は背の部分を所定の方法で綴じられた後に天地を裁断され、１冊の本が完成する。
【０００３】
このような製本装置では、各収納部に収納部の配列順に応じた印刷物を適正な方向に収納する必要があり、いずれかの収納部に収納部の配列順と異なる印刷物が収納されていたり、収納部の配列順に応じた印刷物であっても表裏や天地が逆向きに収納されていると、完成した本に乱丁を生じてしまう。そこで、従来の製本装置では、各収納部において収納部の配列順に応じた印刷物が適正な方向に収納されているか否かを検査する乱丁検査装置が備えられている。
【０００４】
従来の乱丁検査装置は、製本装置の各収納部に、積層して収納された複数部の印刷物の特定の位置における画像の濃度情報を検出する検出手段を設け、検出手段が検出した濃度情報を予め設定された基準値と比較し、印刷物から検出した濃度情報が基準値に一致しない場合に警告を発生するようにしている。
【０００５】
【発明が解決しようとする課題】
しかしながら、従来の乱丁検査装置では、印刷物から検出した画像の濃度情報に基づいて各収納部に収納された印刷物の適否を判断するようにしていたため、各収納部における印刷物の収納状態が適正でないことを正確に検出することができない問題がある。即ち、印刷物の種類によっては印刷物毎の画像の濃度情報に明確な差異がない場合があり、このような場合には、収納部の配列順と異なる印刷物が収納されていたり、印刷物が逆向きに収納されていても、印刷物から検出した画像の濃度情報が基準値と略一致することになって適正な印刷物と判断されてしまう可能性がある。
【０００６】
また、従来の乱丁検査装置では、収納した印刷物の適否の判定結果を各収納部のそれぞれにおいて表示するようにしていたため、検査状態の確認作業が煩雑化する問題がある。即ち、複数の収納部の全てにおける検査状態を確認するためには、作業者が複数の収納部のそれぞれに順次赴き、各収納部に配置されている表示器の表示内容を視認する必要がある。
【０００７】
さらに、従来の乱丁検査装置では、印刷物の収納状態が適正でないと判断した際の検査結果の確認作業を容易にすることについて考慮したものがなく、いずれかの収納部において印刷物の収納状態が適正でないと判断された際には、作業者は、エラー表示を行っている表示器が配置された収納部に赴いて印刷物の収納状態を確認する必要がある。このため、乱丁検査の作業性がさらに低下する問題がある。
【０００８】
この発明の目的は、多数の収納部における乱丁検査結果、及び、乱丁検査内容を表す画像を単一の表示画面内に一括して表示することにより、乱丁検査処理時の作業性を向上できる乱丁検査装置を提供することにある。
【０００９】
【課題を解決するための手段】
この発明は、上記の課題を解決するための手段として、以下の構成を備えている。
【００１０】
(1) 複数の収納部のそれぞれにおいて、１部ずつ取り出された印刷物の画像を検査画像として撮像し、撮像した検査画像と予め設定された基準画像とを比較する乱丁検査装置であって、
複数の収納部の全てについての検査画像と基準画像との比較結果を一覧表示する比較結果表示部、特定の収納部についての比較内容を表す画像を表示する比較内容表示部、基準画像の変更指示の操作を受け付ける基準画像変更ボタン、及び、比較内容表示部に表示している画像を新たな基準画像とする指示の操作を受け付ける基準画像更新ボタンを単一の画面内に表示する表示手段と、
複数の収納部のそれぞれにおいて最初に取り出される印刷物のそれぞれの複数の位置から基準画像の候補となる複数の位置の画像を撮像し、撮像した複数の基準画像候補の画像を収納部毎に記憶し、複数の収納部のそれぞれについて複数の基準画像候補の画像の何れかを基準画像として設定し、複数の収納部の全てについての検査画像と基準画像とを比較するとともに、基準画像変更ボタンが操作された際に現在設定されている基準画像以外の基準画像候補の画像を比較内容表示部に表示し、基準画像更新ボタンが操作された際にその時点で比較内容表示部に表示している画像を新たな基準画像として設定する制御部と、を設けたことを特徴とする。
【００１１】
この構成においては、複数の収納部の全てについての検査画像と基準画像との比較結果の一覧、及び、特定の収納部についての比較内容を表す画像が、単一の画面に表示される。したがって、単一の画面における表示内容から各収納部における比較結果、及び、特定の収納部における比較内容が認識され、検査状況の確認のために複数の収納部のそれぞれに赴く必要がない。
また、基準画像の変更時に基準画像変更ボタン及び基準画像更新ボタンの操作に応じて、同一の印刷物における複数の位置の画像が択一的に切り換えて表示される。したがって、基準画像を変更する作業が容易になる。
【００１２】
(2) 前記表示手段は、複数の収納部の全てについての検査画像と基準画像との一致度合いを比較結果表示部に図形表示することを特徴とする。
【００１３】
この構成においては、複数の収納部のそれぞれから取り出された印刷物について検査画像と基準画像との一致度合いが、単一の画面内に図形表示によって一覧表示される。したがって、複数の収納部のそれぞれにおける検査結果が表示形状の変化として素早く認識される。
【００１４】
(3) 前記表示手段は、特定の収納部についての基準画像、検査画像及びエラー画像を比較内容表示部に択一的に表示することを特徴とする。
【００１５】
この構成においては、単一の画面内に、複数の収納部の全てについての検査結果とともに、特定の収納部について、印刷物から撮像した検査画像、検査画像と比較される基準画像、及び、基準画像に適合しない検査画像であるエラー画像のうちで選択された画像が表示される。したがって、全ての収納部における検査結果とともに単一の画面内に表示される画像に基づいて、特定の収納部における検査内容が容易に確認される。
【００１８】
【発明の実施の形態】
図１は、この発明の実施形態に係る乱丁検査装置の構成を示すブロック図である。この発明の実施形態に係る乱丁検査装置１は、製本装置２０が備える複数の収納部２１ａ〜２１ｘ毎に配置されたカメラ２ａ〜２ｘ，照明用光源３ａ〜３ｘ、光電センサ４ａ〜４ｘ、表示灯５ａ〜５ｘ及びリセットスイッチ６ａ〜６ｘと、製本装置２０の回転軸２２の回転を検出するエンコーダ７と、液晶ディスプレイ等の表示パネル８と、を制御部１０に接続して構成されている。カメラ２ａ〜２ｘは、収納部２１ａ〜２１ｘから１部ずつ取り出された印刷物の所定の位置における画像を撮像する。照明用光源３ａ〜３ｘは、カメラ２ａ〜２ｘの撮像時に印刷物に光を照射し、露光量を調整する。光電センサ４ａ〜４ｘは、撮像タイミングの決定に用いられる印刷物の取り出しタイミングを検出する。表示灯５ａ〜５ｘは、乱丁検査装置１における検査結果を含む収納部２１ａ〜２１ｘの動作状態を表示する。リセットスイッチ６ａ〜６ｘは、エラーの解除作業の完了時に作業者によって操作される。
【００１９】
制御部１０は、表示パネル制御部１１、データ処理部１２及びカメラ制御部１３を含む。表示パネル制御部１１は、表示パネル８に表示させる表示画面を作成し、表示パネル８に供給する。表示パネル８の表面にはタッチパネル９が配置されており、タッチパネル９の操作データは、表示パネル制御部１１を介してデータ処理部１２に入力される。このため、表示パネル制御部１１から表示パネル８に供給される表示画面データには、複数の操作ボタンの画像が含まれる。
【００２０】
データ処理部１２は、カメラ制御部１３から入力される収納部２１ａ〜２１ｘのそれぞれにおける印刷物の撮像データに対して所定の画像処理を施し、乱丁検査処理の対象となる検査画像を更新的に記憶するとともに、検査画像と対比する基準画像、及び、エラー発生時の検査画像であるエラー画像を少なくとも検査作業期間中において記憶する。データ処理部１２は、この記憶内容に基づいて検査画像を基準画像と対比し、両者の一致度を予め設定された閾値と比較して収納部２１ａ〜２１ｘのそれぞれにおける印刷物の収納状態が適正であるか否かを判別する。データ処理部１２は、検査画像と基準画像との対比結果を逐次表示パネル制御部１１に出力するとともに、対比結果及びタッチパネル９の操作データに基づいてエラー画像を表示パネル制御部１１に出力する。この時、データ処理部１２は、タッチパネル９における操作データに基づいて、表示パネル８における表示画面データを作成する。
【００２１】
カメラ制御部１３は、データ処理部１２から供給される撮像位置データに基づいて、光電センサ４ａ〜４ｘの検出信号を基準に所定のタイミングでカメラ２ａ〜２ｘを動作させ、印刷物の所定の位置から検査画像を撮像する。データ処理部１２から供給される撮像位置データは、光電センサ４ａ〜４ｘによる印刷物の検出タイミングからカメラ２ａ〜２ｘが印刷物における基準画像の撮像位置に対向するまでの時間を表すデータである。カメラ制御部１３は、データ処理部１２から入力された撮像位置データと、エンコーダ７が検出した製本装置２０の回転軸２２の回転速度とから撮像タイミングを決定する。
【００２２】
図２〜図４は、上記乱丁検査装置の表示パネルにおける表示画面を示す図であり、それぞれ、収納部選択画面、検査実行画面及びエラー画像表示画面を示している。図２に示す収納部選択画面には、比較結果表示部８１、比較内容表示部８２、収納部切換ボタン８３、収納部選択ボタン８４、開始ボタン８５、前回設定呼出ボタン８６及び終了ボタン８７が表示される。比較結果表示部８１は、検査処理の実行中に製本装置２０の各収納部２１ａ〜２１ｘにおいて１部ずつ取り出された印刷物から撮像した検査画像と予め設定された基準画像との一致度を、収納部２１ａ〜２１ｘのそれぞれについて、一例として、一致度バーの長さによって一覧表示する。このように、比較結果表示部８１は、検査画像と基準画像との一致度を図形表示によって一覧表示するため、多数の収納部についての比較結果を素早く視認することができる。比較内容表示部８２は、作業者が選択した特定の収納部について、基準画像、検査画像又はエラー画像のいずれかを作業者の選択に応じて表示する。このため、比較内容表示部８２の左側に、基準画像、検査画像及びエラー画像の選択ボタン８２ａ〜８２ｃが配置されている。
【００２３】
収納部切換ボタン８３は、製本装置２０に設けられている収納部２１ａ〜２１ｘのうち、乱丁検査処理の対象とすべき収納部（一般的には、今回の製本作業に使用する収納部）の選択を受け付ける。収納部切換ボタン８３の操作により、比較結果表示部８１において選択しようとする収納部の表示形態が変化する。収納部選択ボタン８４は、比較結果表示部８１において表示形態が変化している収納部を乱丁検査処理の対象とするか否かの決定入力を受け付ける。収納部選択ボタン８４を奇数回操作すると、比較結果表示部８１において表示形態が変化している収納部が乱丁検査処理の対象として確定し、比較結果表示部８１において該当する収納部の番号が表示されるとともに、一致度を表す図形である一致度バーが表示されなくなる。収納部選択ボタン８４を偶数回操作すると、比較結果表示部８１において表示形態が変化している収納部についての乱丁検査処理が取り消される。
【００２４】
開始ボタン８５は、乱丁検査処理の開始の指示入力を受け付ける。前回設定呼出ボタン８６は、制御部１０が記憶している前回の設定内容をそのまま使用する旨の指示入力を受け付ける。終了ボタン８７は、乱丁検査処理の終了の指示入力を受け付ける。
【００２５】
上記図２に示す収納部選択画面において開始ボタン８５を操作すると、表示パネル８には、図３に示す検査実行画面が表示される。この検査実行画面には、図２に示した収納部選択画面と同様に機能する比較結果表示部８１、比較内容表示部８２、収納部切換ボタン８３、収納部選択ボタン８４、開始ボタン８５、前回設定呼出ボタン８６及び終了ボタン８７が表示されるとともに、基準画像変更ボタン８８及び基準画像更新ボタン８９が表示される。基準画像変更ボタン８８及び基準画像更新ボタン８９は、乱丁検査処理の開始直後に乱丁検査装置１が自動設定した基準画像の変更を受け付ける。
【００２６】
即ち、この実施形態に係る乱丁検査装置１では、乱丁検査処理の開始直後に、製本装置２０の収納部２１ａ〜２１ｘのうち乱丁検査処理の対象として選択された収納部のそれぞれにおいて最初に取り出される印刷物のそれぞれの複数の位置から基準画像の候補となる複数の位置の画像を撮像し、撮像した複数の基準画像候補の画像を収納部毎に記憶しておくとともに、収納部毎に検査画像との比較に最適と判断した基準画像候補の画像を基準画像として設定し、設定した基準画像に基づいて乱丁検査処理を開始する。この後において、作業者がいずれかの収納部について基準画像の変更を希望し、基準画像変更ボタン８８を操作すると、その操作内容に応じて現在設定されている基準画像以外の基準画像候補の画像が比較内容表示部８２に順次切り換えて表示される。この状態で作業者が基準画像更新ボタン８９を操作すると、その時点で比較内容表示部８２に表示されている画像が新たな基準画像として設定される。
【００２７】
上記図３に示す検査実行画面においてエラー画像の選択ボタン８２ｃが操作されると、表示パネル８には図４に示すエラー画像表示画面が表示される。このエラー画像表示画面には、図２に示した収納部選択画面と同様に機能する比較結果表示部８１、比較内容表示部８２、収納部切換ボタン８３、収納部選択ボタン８４、開始ボタン８５、前回設定呼出ボタン８６及び終了ボタン８７が表示されるとともに、比較内容表示部８２の右側にカーソルキー８２ｄ，８２ｅが表示される。
【００２８】
エラー画像表示画面における比較内容表示部８２には、収納部選択ボタン８４の操作によって選択されている収納部における過去のエラー画像が表示される。このとき、該当する収納部において過去に複数回にわたってエラーを生じている場合には、カーソルキー８２ｄ，８２ｅを操作することにより、各回のエラー画像が順次切り換えて表示される。
【００２９】
図５は、上記乱丁検査装置の制御部の処理手順を示すフローチャートである。上記の乱丁検査装置１の制御部１０は、電源が投入されると、表示パネル８に図２に示す収納部選択画面を表示し、製本装置２０の収納部２１ａ〜２１ｘのうちで乱丁検査処理の対象とすべき収納部の選択操作を受け付ける（１０１）。なお、以下においては、収納部２１ａ〜２１ｘの全てが乱丁検査処理の対象として選択された場合について説明する。収納部選択画面において前回設定呼出ボタン８６が操作されると、制御部１０は、メモリに記憶している前回の乱丁検査処理時の設定内容を読み出し（１０２→１０３）、読み出した内容で比較結果表示部８１の表示状態を設定する（１０４）。
【００３０】
収納部選択画面において収納部切換ボタン８３及び収納部選択ボタン８４が操作された場合には（１０５）、制御部１０は、収納部選択ボタン８４が操作された時点で収納部切換ボタン８３によって選択されている収納部を、乱丁検査処理の対象として設定する（１０６）。乱丁検査処理の対象となる収納部の設定が完了すると、制御部１０は検査開始ボタン８５の操作を待機し（１０７）、検査開始ボタン８４が操作されると表示パネル２に図３に示した検査実行画面を表示して乱丁検査処理を開始し（１０８）、基準画像の取込処理を実行する（１０９）。
【００３１】
この基準画像の取込処理では、制御部１０のデータ処理部１２は、カメラ制御部１３に対して互いに異なる複数の撮像位置データを出力し、カメラ制御部１３はカメラ２ａ〜２ｘを動作させて収納部２１ａ〜２１ｘのそれぞれにおいて単一の印刷物に対して互いに異なる複数の位置の画像を撮像する。カメラ制御部１３は、カメラ２ａ〜２ｘのそれぞれが撮像した複数の画像を基準画像候補の画像としてデータ処理部１２に供給する。データ処理部１２は、カメラ制御部１３から供給された収納部毎の複数の基準画像候補の画像に対して所定の画像処理を施した後に収納部毎に一旦記憶するとともに、各収納部について複数の基準画像候補の画像の中から乱丁検査処理に最適な単一の画像を基準画像として選択する。
【００３２】
即ち、乱丁検査処理では収納部から１部ずつ取り出された印刷物から撮像した検査画像を基準画像と比較し、両者の一致度が予め設定された閾値以上であるか否かに応じて、検査画像が撮像された印刷物が適正な印刷物であるか否かを判別する。したがって、データ処理部１２は、基準画像の取込処理において、カメラ制御部１３から入力された基準画像候補の画像のうち、検査画像との比較に最も適した画像データを所定のアルゴリズムにしたがって選択し、これを基準画像として設定する。この基準画像の取込処理では、制御部１０は、１０１〜１０６の処理で設定された乱丁検査処理の対象とすべき収納部のそれぞれについて基準画像を設定する。また、データ処理部１２は、各収納部について基準画像に設定した画像データの撮像位置データを基準撮像位置データとして記憶しておく。
【００３３】
基準画像の取り込み処理が完了すると、制御部１０は、製本装置２０において各収納部から１部ずつ印刷物が取り出される毎に、所定のタイミングで検査画像を撮像する（１１０）。この撮像タイミングは、データ処理部１２が記憶している基準撮像位置データに基づいて行われる。即ち、制御部１０は、各収納部から１部ずつ取り出された印刷物のそれぞれにおいて、各収納部に設定されている基準画像の撮像位置と同一位置から検査画像を撮像する。制御部１０は、乱丁検査の対象とされている収納部のそれぞれについて、撮像した検査画像と基準画像とを所定のアルゴリズムにしたがって比較して両者の一致度を算出し（１１１）、得られた一致度を予め設定された閾値と比較する（１１２）。
【００３４】
この比較において、検査画像と基準画像との一致度が閾値未満である場合には、制御部１０は乱丁を発生したと判断してエラー処理を行う（１１３）。このエラー処理では、制御部１０は、表示パネル８の表示画面内に、乱丁を発生した収納部を特定してエラーメッセージを表示するとともに、その収納部に設置されている表示灯５ａ〜５ｘを点灯させる。さらに、制御部１０は、乱丁を発生したと判断した際の検査画像をエラー画像として記憶する（１１４）。
【００３５】
なお、１１３のエラー処理には、制御部１０は製本装置２０を停止させる処理を含めることができる。この場合には、制御部１０は、乱丁を発生した収納部に配置されているリセットスイッチからリセット信号が入力された後に、検査開始ボタン８５の操作を待って乱丁検査処理を再開する（１１５→１０７）。
【００３６】
１１２の比較処理において、検査画像と基準画像との一致度が閾値以上である場合には、制御部１０は、表示パネル制御部１１を介して入力されるタッチパネル９の操作データに基づいて、作業者が比較内容の表示を指示したか否かを判別し（１１６〜１１８）、選択されている収納部について、作業者が選択した基準画像、検査画像又はエラー画像のいずれかを検査実行画面内の比較内容表示部８２に表示する（１１９〜１２１）。
【００３７】
１１９で表示される基準画像は、検査画像と比較すべき基準画像として現在設定されている画像である。１２０で表示される検査画像は、現在の乱丁検査の対象となっている印刷物から撮像した検査画像である。即ち、制御部１０は、各収納部において１部ずつ印刷物が取り出される毎に検査画像を撮像し、これを更新的に記憶している。制御部１０は、選択ボタン８２ｂが操作された時点で選択されている収納部について、更新的に記憶している検査画像を順次読み出して表示する。また、選択ボタン８２ｃの操作によってエラー画像の表示が指示されると、制御部１０は、表示パネル８内に図４に示したエラー画像表示画面を表示する（１２１）。
【００３８】
制御部１０は、収納部２１ａ〜２１ｘに収納されている印刷物の全てが取り出され、製本作業が終了するまで上記１１０〜１２１の処理を繰り返し実行する（１２２→１１０）。これによって、製本作業の開始時に収納部２１ａ〜２１ｘに収納された印刷物の全てについて、いずれかの収納部で乱丁が発生した場合には、これを正確に検出することができる。この乱丁検査処理時において、全ての収納部における検査画像と基準画像との比較結果が表示パネル８内に構成された比較結果表示部８１に図形表示によって一覧表示されるため、作業者は表示パネル８が配置されている位置に居ながらにして全ての収納部における比較処理結果を確認することができる。また、表示パネル８内には、作業者の指示に基づいて比較内容表示部８２に基準画像、検査画像及びエラー画像が表示されるため、作業者は乱丁検査処理の内容を容易に確認することができる。
【００３９】
また、この実施形態に係る乱丁検査装置１では、乱丁検査処理の対象となる収納部の全てについて基準画像を一括して自動的に取り込むようにしているため、基準画像の設定を容易かつ素早く行うことができる。さらに、基準画像の設定に際して、各収納部について複数の基準画像候補の画像の中から検査画像との比較に最適な画像を選択するようにしているため、検査画像が基準画像に一致するか否かを明確に判断することができ、乱丁検査処理の精度が向上する。加えて、基準画像の設定後においても、各収納部についての複数の基準画像候補の画像を記憶しておき、作業者の選択操作に応じて基準画像を変更できるようにしているため、乱丁検査処理の開始後における検査状況に応じて適宜基準画像を容易に変更することができる。
【００４０】
なお、乱丁検査処理において検査画像と基準画像との一致度が比較される閾値は、例えば乱丁検査処理の対象となる収納部の選択時に、任意に設定できるようにしてもよい。
【００４１】
また、上記の実施形態に係る乱丁検査装置１が適用される製本装置２０は、全２４個の収納部２１ａ〜２１ｘを備えたものに限るものではない。
【００４２】
さらに、制御部１０のデータ処理部１２を乱丁検査の対象となる収納部の最大数を考慮して複数に分割して構成してもよい。例えば、製本装置２０が全２４個の収納部を備えている場合には、データ処理部１２を６分割に構成し、それぞれにおいて４個ずつの収納部に対する乱丁検査処理を６個のデータ処理部で並行して処理する。これによって、乱丁検査におけるデータ処理時間を短縮することができる。この場合に、製本装置が備える収納部の一部のみを使用する際にも収納部の配列方向に連続する複数の収納部が用いられることを考慮すれば、ｎ分割されたデータ処理部のうちｉ番目（ｉ＝１，２，・・・，ｎ）の分割部分にはｉ＋ｎ×ｍ（ｍ＝０，１，２，・・・）番目の収納部についての処理を割り当てておくことにより、分割して構成されたデータ処理部を常に効率的に機能させることができる。
【００４３】
また、この実施形態に係る乱丁検査装置１では、比較結果表示部８１において一致度に応じて伸縮する一致度バーを用いて比較結果を一覧表示するようにしているが、比較結果を図形表示する他の表示形態を用いたものであってもよい。
【００４４】
【発明の効果】
この発明によれば、以下の効果を奏することができる。
【００４５】
(1) 複数の収納部の全てについての検査画像と基準画像との比較結果の一覧、及び、特定の収納部についての比較内容を表す画像を、単一の画面に表示することにより、単一の画面における表示内容から各収納部における比較結果、及び、特定の収納部における比較内容を認識することができ、検査状況の確認のために複数の収納部のそれぞれに赴く必要をなくして乱丁検査の作業性を著しく向上させることができる。
また、基準画像の変更時に基準画像変更ボタン及び基準画像更新ボタンの操作に応じて、同一の印刷物における複数の位置の画像を択一的に切り換えて表示することにより、基準画像の変更作業を簡略化して乱丁検査処理の精度を素早く向上させることができる。
【００４６】
(2) 複数の収納部のそれぞれから取り出された印刷物について検査画像と基準画像との一致度合いを単一の画面内に図形表示によって一覧表示することにより、複数の収納部のそれぞれにおける検査結果を表示形状の変化として素早く認識できる状態で表示することができ、乱丁の原因の除去等の検査結果に応じた作業を素早く行うことができる。
【００４７】
(3) 単一の画面内に、複数の収納部の全てについての検査結果とともに、特定の収納部について、印刷物から撮像した検査画像、検査画像と比較される基準画像、及び、基準画像に適合しない検査画像であるエラー画像のうちで選択された画像を表示することにより、全ての収納部における検査結果とともに単一の画面内に表示される画像に基づいて、特定の収納部における検査内容を作業者に容易に確認させることができる。これによって、作業者は、検査処理の状況を容易に把握することができる。
【図面の簡単な説明】
【図１】この発明の実施形態に係る乱丁検査装置の構成を示すブロック図である。
【図２】上記乱丁検査装置の表示パネルにおける収納部選択画面の表示状態を示す図である。
【図３】同表示パネルにおける検査実行画面の表示状態を示す図である。
【図４】同表示パネルにおけるエラー画像表示画面の表示状態を示す図である。
【図５】上記乱丁検査装置の制御部の処理手順を示すフローチャートである。
【符号の説明】
１−乱丁検査装置
２ａ〜２ｘ−カメラ
８−表示パネル
９−タッチパネル
１０−制御部
１１−表示パネル制御部
１２−データ処理部
１３−カメラ制御部
２０−製本装置
２１ａ〜２１ｘ−収納部
【図１】
0003679679.tif 000002
【図２】
0003679679.tif 000003
【図３】
0003679679.tif 000004
【図４】
0003679679.tif 000005
【図５】
0003679679.tif 000006